(57)【要約】【課題】全体のコストの抑制が可能な液晶プロジェクタを提供する。【解決手段】レンズＬ１〜Ｌ５を光軸方向に沿って直線状に案内可能に内部に保持したガイド筒２１を合成樹脂で形成する。ガイド筒２１を嵌挿しレンズＬ１〜Ｌ５を光軸方向に沿って移動させるカム筒２２を合成樹脂で形成する。射出成形でガイド筒２１とカム筒２２を容易に製造でき、製造コストを抑制できる。金属の部材で形成する場合と比較して材料コストを抑制でき、全体のコストを抑制できる。【選択図】        図１
2004347646.tif 000002
【特許請求の範囲】
【請求項１】
複数のレンズと、
これらレンズを光軸方向に沿って直線状に案内可能に内部に保持する合成樹脂製のガイド筒と、
このガイド筒が嵌挿され、前記複数のレンズを光軸方向に沿って移動させる合成樹脂製のカム筒と
を具備したことを特徴としたプロジェクタ装置用鏡筒。
【請求項２】
カム筒は、ガイド筒に対して回動可能であり、前記カム筒の前記ガイド筒に対する周方向への回動により各レンズを光軸方向に沿って移動させ、外周面側に貫通しない状態の部分を有する複数のカム溝を内周面に備えている
ことを特徴とした請求項１記載のプロジェクタ装置用鏡筒。
【請求項３】
カム筒は、ガイド筒と異なる成分の合成樹脂で設けられている
ことを特徴とした請求項１または２記載のプロジェクタ装置用鏡筒。
【請求項４】
光源と、
この光源から照射された光を変調させる光変調手段と、
この光変調手段で変調された光を投射する請求項１ないし３いずれか一記載のプロジェクタ装置用鏡筒と
を具備したことを特徴としたプロジェクタ装置。
【発明の詳細な説明】
【０００１】
【発明の属する技術分野】
本発明は、複数のレンズを光軸方向に沿って移動させるカム筒を有するプロジェクタ装置用鏡筒およびこれを備えたプロジェクタ装置に関する。
【０００２】
【従来の技術】
従来、この種のプロジェクタ装置は、光を照射する光源を備え、この光源から照射された光は、照明光学系により鏡筒としての投射レンズ光学系に導かれ、この投射レンズ光学系によりスクリーンなどの上に投射像として投射される。
【０００３】
そして、投射レンズ光学系は、レンズを光軸方向に対して垂直に複数保持し、これらレンズを光軸方向に沿って直線状に案内するガイド筒を備え、このガイド筒は、レンズの光軸方向へのズーム移動を制御するカム筒に嵌挿されている。
【０００４】
ここで、レンズは、例えばカメラなどの撮影光学系に使用されるレンズと比較して大径、かつ重量が大きい。また、投射レンズ光学系には、光源からの光による熱が加わる。このため、レンズを移動させる際にレンズの重量で撓んだり、光源からの光の熱により変形したりしないように、カム筒はアルミ材で形成されている（例えば、特許文献１参照。）。
【０００５】
【特許文献１】
特開平１０−６８８６０号公報（第４−６頁、図１）
【０００６】
【発明が解決しようとする課題】
しかしながら、上述のプロジェクタ装置では、カム筒をアルミ材で形成しているので、材料コストが比較的高くなるとともに、カム筒を製造する際にはアルミ材を切削加工しなければならず、製造コストが増加する。
【０００７】
この結果、全体のコストを抑制することが容易でないという問題点を有している。
【０００８】
本発明はこのような点に鑑みなされたもので、全体のコストの抑制が可能なプロジェクタ装置用鏡筒およびこれを備えたプロジェクタ装置を提供することを目的とする。
【０００９】
【課題を解決するための手段】
請求項１記載のプロジェクタ装置用鏡筒は、複数のレンズと、これらレンズを光軸方向に沿って直線状に案内可能に内部に保持する合成樹脂製のガイド筒と、このガイド筒が嵌挿され、前記複数のレンズを光軸方向に沿って移動させる合成樹脂製のカム筒とを具備したものである。
【００１０】
そして、複数のレンズを光軸方向に沿って直線状に案内可能に内部に保持したガイド筒と、このガイド筒が嵌挿され、複数のレンズを光軸方向に沿って移動させるカム筒とをそれぞれ合成樹脂製としたことにより、例えば射出成形などでこれらガイド筒およびカム筒を容易に製造でき、製造コストの抑制が可能になるとともに、例えば金属の部材で形成する場合などと比較して材料コストの抑制も可能になり、全体のコストの抑制が可能になる。
【００１１】
請求項２記載のプロジェクタ装置用鏡筒は、請求項１記載のプロジェクタ装置用鏡筒において、カム筒が、ガイド筒に対して回動可能であり、前記カム筒の前記ガイド筒に対する周方向への回動により各レンズを光軸方向に沿って移動させ、外周面側に貫通しない状態の部分を有する複数のカム溝を内周面に備えているものである。
【００１２】
そして、カム筒のガイド筒に対する周方向への回動により各レンズを光軸方向に沿って移動させる複数のカム溝を、カム筒の外周面側に貫通しない状態の部分を有するようにカム筒の内周面に設けることで、例えばカム筒を貫通してカム溝を設ける場合と比較して、カム筒の肉厚を必要以上に大きくすることなくカム筒の強度が確保される。
【００１３】
請求項３記載のプロジェクタ装置用鏡筒は、請求項１または２記載のプロジェクタ装置用鏡筒において、カム筒が、ガイド筒と異なる成分の合成樹脂で設けられているものである。
【００１４】
そして、カム筒をガイド筒と異なる成分の合成樹脂で設けることで、例えば同一成分の合成樹脂でカム筒とをガイド筒とを設ける場合と比較して、カム筒とガイド筒との間の摩擦力を低減し、良好な操作性が確保される。
【００１５】
請求項４記載のプロジェクタ装置は、光源と、この光源から照射された光を変調させる光変調手段と、この光変調手段で変調された光を投射する請求項１ないし３いずれか一記載のプロジェクタ装置用鏡筒とを具備したものである。
【００１６】
そして、請求項１ないし３いずれか一記載のプロジェクタ装置用鏡筒を備えることで、全体のコストを抑制することが容易に可能になる。
【００１７】
【発明の実施の形態】
以下、本発明の一実施の形態のプロジェクタ装置の構成を図１ないし図６を参照して説明する。なお、図１は、上半分に示す部分と同じ断面位置を下半分にも示した側面断面の説明図である。
【００１８】
図５および図６において、１はプロジェクタ装置としての液晶プロジェクタで、この液晶プロジェクタ１は、光源２、この光源２から照射された照明光が入射する筐体３、光変調手段である液晶表示素子としての３枚の透過型のＬＣＤパネル４ｒ，４ｇ，４ｂ、合成光学系としてのダイクロイッククロスプリズム５、および、プロジェクタ装置用鏡筒としてのレンズ鏡筒６などを備えている。そして、光源２と筐体３とは、外装体としての横長の外装カバー７により外側を覆われている。この外装カバー７内には、図示しないファン、制御回路、操作部、表示部、電源装置などが配設されている。
【００１９】
光源２は、図示しないハロゲンランプなどの白熱電球あるいはメタルハライドランプなどの放電ランプを備えている。この放電ランプの周囲には、この放電ランプから照射された光を反射する放物面状の鏡面を備えた図示しないリフレクタが配設されている。この結果、光源２からは、放電ランプから照射された光がリフレクタで反射されて筐体３内に入射する。
【００２０】
なお、以下、光源２からスクリーンに向かう照明光の光軸に対し、スクリーン側を前側、光源２側を後側とし、光源２側から見て光軸に直交する方向を上下方向すなわち鉛直方向、および、左右方向すなわち水平方向として説明する。
【００２１】
筐体３は、側部に矩形状の空間部である凹部１１を有する平面視で略コ字状に形成されている。また、この筐体３は、主筐体１３と、この主筐体１３の上部に着脱可能に取り付けられる蓋体１４および副蓋体１５とにより箱状に形成されている。さらに、筐体３内には、例えば各種レンズアレイ、各種フィルタ、偏光ビームスプリッタ（Ｐｏｌａｒｉｚｅｄ  Ｂｅａｍ  Ｓｐｌｉｔｔｅｒ：ＰＢＳ）、および、各種レンズなどの各種光学要素にて構成された図示しない照明光学系が、所定の位置に配置されて保持されている。この照明光学系は、例えば光源２から照射された光を、Ｒ（赤）、Ｇ（緑）、Ｂ（青）の３色の色光に分離し、それぞれの色光をＬＣＤパネル４ｒ，４ｇ，４ｂにそれぞれ入射させるものである。
【００２２】
ＬＣＤパネル４ｒ，４ｇ，４ｂは、所定の映像信号に応じて各色光を変調してダイクロイッククロスプリズム５に向けて透過させるものである。
【００２３】
ダイクロイッククロスプリズム５は、ＬＣＤパネル４ｒ，４ｇ，４ｂを介して所定の映像信号に応じて変調された３色の色光を合成光に合成し、レンズ鏡筒６に入射させるものであり、平面視で四角形状に形成され、筐体３の凹部１１に嵌合している。そして、このダイクロイッククロスプリズム５は、側面部がＬＣＤパネル４ｒ，４ｇ，４ｂおよびレンズ鏡筒６にそれぞれ対向している。
【００２４】
レンズ鏡筒６は、ダイクロイッククロスプリズム５にて合成された光を図示しないスクリーン上などに投射するものである。このレンズ鏡筒６は、図１に示すように、直進案内筒であるガイド筒２１、カム筒２２、第１の調整筒としてのズーム調整筒２３、および、第２の調整筒としてのピント調整筒２４を同軸状に備えている。すなわち、これらガイド筒２１、カム筒２２、ズーム調整筒２３およびピント調整筒２４は、光軸上に沿って中心軸を有している。
【００２５】
ガイド筒２１は、例えば重量比３０％のガラス繊維を含んだポリカーボネイト（Ｐｏｌｙｃａｒｂｏｎａｔｅ）などの合成樹脂にて略直線円筒状に形成されており、カム筒２２内に先端側である前側が嵌挿されている。また、ガイド筒２１の基端側である後側の外周面には、径方向に向けて突出した矩形状のフランジ部３１が一体に設けられている。このフランジ部３１は、図５に示すように、主筐体１３から突出するように四隅がビス３２にて取り付けられている。
【００２６】
また、ガイド筒２１の外周面のフランジ部３１よりも若干前方には、図１に示すように、後方突部３３がガイド筒２１の径方向に向けて突出して周方向に沿って一体に設けられている。さらに、ガイド筒２１の外周面の後方突部３３よりも前方には、突部３４がガイド筒２１の径方向に向けて突出して周方向に沿って一体に設けられている。この突部３４は、後方突部３３よりもガイド筒２１の外周面に対する径方向の突出量が小さく形成されている。
【００２７】
そして、ガイド筒２１の外周面における突部３３，３４の間には、断面凹状の嵌合溝部３５がガイド筒２１の周方向に沿って形成されている。この嵌合溝部３５は、後述するようにカム筒２２をガイド筒２１に対して抜け止めするとともに、カム筒２２をガイド筒２１の周方向に沿って案内、すなわちガイドするものである。
【００２８】
さらに、ガイド筒２１の外周面の突部３４よりも前方には、中間突部３６が径方向に向けて突出して周方向に沿って一体に設けられている。この中間突部３６は、ガイド筒２１の軸方向の略中心域に設けられ、突部３３，３４よりもガイド筒２１の外周面に対する径方向の突出量が小さい。またさらに、ガイド筒２１の外周面の前後方向の中心よりも前方の位置には、前方突部３７が径方向に向けて突出して周方向に沿って一体に設けられている。この前方突部３７は、ガイド筒２１の外周面に対する径方向の突出量が後方突部３３と略等しい。
【００２９】
そして、突部３４，３６の間、および、突部３６，３７の間のガイド筒２１の外周面には、後述するカムピン４３ｂ，４４ｂ，４５ｂを光軸方向に沿ってガイドするガイド孔部である長孔状の第１および第２のスリット部４１，４２が設けられている。これらスリット部４１，４２は、ガイド筒２１の軸方向、すなわち前後方向に沿って直線状に設けられ、ガイド筒２１の外周面に、ガイド筒２１の周方向に略等角度に例えば３箇所に設けられている。
【００３０】
また、ガイド筒２１内の軸方向の中心域には、枠体としてのレンズ枠４３，４４，４５に保持されたレンズＬ１〜Ｌ５が取り付けられている。これらレンズ枠４３，４４，４５は、それぞれ略円筒状に形成されており、外周面がガイド筒２１の内周面に若干の間隙を介して対向している。
【００３１】
さらに、レンズ枠４３，４４，４５は、外周面に凹状の溝部４３ａ，４４ａ，４５ａが、周方向に略等角度の間隔に例えば３箇所に設けられている。これら溝部４３ａ，４４ａ，４５ａには、係止体としての円筒状のカムピン４３ｂ，４４ｂ，４５ｂが例えばビス４３ｃ，４４ｃ，４５ｃなどにて固定されている。したがって、各カムピン４３ｂ，４４ｂ，４５ｂは、レンズ枠４３，４４，４５の外周から径方向に向けて突出している。
【００３２】
またさらに、カムピン４３ｂは、第１のスリット部４１に挿通され、カムピン４４ｂ，４５ｂは、第２のスリット部４２に挿通されている。そして、これらカムピン４３ｂ，４４ｂ，４５ｂの先端部は、縮径されており、カム筒２２の内周面に設けられた後述するカム溝６１，６２，６３にそれぞれ係合している。
【００３３】
一方、レンズ枠４３，４４，４５の内周面には、レンズＬ１〜Ｌ５を固定するレンズ座部４３ｄ，４４ｄ，４５ｄがそれぞれ設けられている。レンズ座部４３ｄには、レンズＬ１，Ｌ２の外周縁部がそれぞれ当接して固定され、レンズ座部４４ｄには、レンズＬ３，Ｌ４の外周縁部がそれぞれ当接して固定され、レンズ座部４５ｄには、レンズＬ５の外周縁部が当接して固定されている。
【００３４】
ここで、本実施の形態において、レンズＬ１は、両凸レンズである。また、レンズＬ２は、前側に凸面を向けたメニスカスレンズであり、後側の凹面がレンズＬ１の前側の凸面に沿って設けられている。さらに、レンズＬ３は、両凹レンズである。またさらに、レンズＬ４は、両凸レンズであり、後側の凸面がレンズＬ３の前側の凹面に沿って設けられている。そして、レンズＬ５は、両凸レンズである。
【００３５】
さらに、ガイド筒２１内の後側には、後部レンズ枠５１に保持された状態でレンズＬ６〜Ｌ１０が取り付けられている。この後部レンズ枠５１は、後側から前側に向けて複数の段差状に順次縮径された略円筒状に形成され、前側がガイド筒２１内に挿入され、かつ後側がガイド筒２１の後側から後方に突出している。またさらに、この後部レンズ枠５１の各段差に対応した内周面には、レンズＬ６〜Ｌ１０を固定する複数、例えば４箇所の後部レンズ座部５２ａ，５２ｂ，５２ｃ，５２ｄが周方向に沿って設けられている。そして、これら後部レンズ座部５２ａ，５２ｂ，５２ｃ，５２ｄには、後側から順に、レンズＬ６、レンズＬ７、レンズＬ８，Ｌ９、および、レンズＬ１０の外周縁部が当接して、これらレンズＬ６〜Ｌ１０がそれぞれ固定されている。
【００３６】
ここで、本実施の形態において、レンズＬ６〜Ｌ８は、両凸レンズである。また、レンズＬ９は、両凹レンズであり、後側の凹面がレンズＬ８の前側の凸面に沿って設けられている。そして、レンズＬ１０は、前側に凸面を向けたメニスカスレンズである。
【００３７】
また、ガイド筒２１の外周面の前方突部３７よりも前方には、径方向に向けて複数、例えば３つの突出部５３が突出して一体に設けられている。これら突出部５３は、ガイド筒２１の周方向に沿って互いに略等角度の間隔に設けられている。さらに、これら突出部５３は、前方突部３７との間でカム筒２２の前端部の一部を保持する保持突出部５３ａを備え、この保持突出部５３ａには、ピント調整筒２４のガイド筒２１に対する回転量、すなわち回動角度を規制するストッパ部５３ｂが軸方向に沿って連続して一体に設けられている。
【００３８】
またさらに、ガイド筒２１の外周面の前端部には、ピント調整筒２４をガイド筒２１に螺合させる螺子溝である外周螺合部５４が設けられている。この外周螺合部５４は、ガイド筒２１の外周面の前端部から、突出部５３のストッパ部５３ｂの前方に亘って設けられている。
【００３９】
カム筒２２の内側には、ガイド筒２１が嵌挿され、このカム筒２２は、ガイド筒２１に対して周方向に回動可能に取り付けられている。このカム筒２２は、ガイド筒２１に対する周方向への回動により、レンズＬ１〜Ｌ５をガイド筒２１の前後方向、すなわち光軸方向に沿って移動させるものである。したがって、カム筒２２の内周面の一部は、カム筒２２をガイド筒２１に対して回動させることでガイド筒２１の外周面の一部に対して摺接する。このため、カム筒２２の内周面には、図示しない潤滑材、例えばグリースなどが塗布されている。
【００４０】
さらに、このカム筒２２は、図２に示すように、例えば重量比２０％のガラス繊維を含んだポリカーボネイトなどの合成樹脂にて略直線円筒状に形成されている。すなわち、カム筒２２は、ガイド筒２１と異なる成分の合成樹脂にて形成されている。またさらに、このカム筒２２は、レンズＬ１〜Ｌ５の移動、あるいは光源２から照射される光による熱などで撓んだり変形したりしない肉厚を有している。そして、このカム筒２２は、軸寸法がガイド筒２１よりも小さく形成されており、ガイド筒２１をカム筒２２に対して嵌挿した状態で、軸方向の両端部からガイド筒２１の両端部がカム筒２２の外部にそれぞれ突出している。
【００４１】
また、カム筒２２の後端部近傍には、図１、図３および図４に示すように、カム筒２２を径方向に貫通して貫通孔５５が設けられている。この貫通孔５５には、ビス５６の軸部５６ａが挿通されている。この軸部５６ａは、先端側がガイド筒２１の嵌合溝部３５に挿入されてカム筒２２をガイド筒２１に対して抜け止めするとともに、周方向に沿ってガイドしている。
【００４２】
さらに、カム筒２２の外周面には、図３および図４に示すように、カムピン４３ｂ，４４ｂ，４５ｂの先端部が嵌合する略円形状の孔部５７，５８，５９が径方向に貫通して設けられている。これら孔部５７，５８，５９は、カム筒２２の周方向に複数、例えば３箇所ずつに設けられている。また、これら孔部５７，５８，５９のそれぞれは、カム筒２２の周方向に互いに略等角度に離間されている。
【００４３】
またさらに、孔部５７は、カム筒２２の後端部寄りに位置して設けられ、孔部５８は、カム筒２２の前後方向の略中心域に設けられ、孔部５９は、孔部５８の若干前側の位置に設けられている。すなわち、孔部５７，５８の間の距離は、孔部５８，５９の間の距離よりも大きく形成されている。
【００４４】
そして、孔部５７，５８，５９には、カムピン４３ｂ，４４ｂ，４５ｂが摺動可能に係合するカム溝としての第１のカム溝６１、第２のカム溝６２および第３のカム溝６３が、連続してそれぞれ設けられている。これらカム溝６１，６２，６３は、カム筒２２の内周面に、このカム筒２２の径方向に向けて凹状に窪んで設けられている。言い換えると、カム溝６１，６２，６３は、全体がカム筒２２を貫通しないで設けられている。すなわち、カム溝６１，６２，６３は、カム筒２２の外周面側に貫通しない状態の部分を有するように設けられている。このため、カム筒２２の外周面は、略面一となっている。そして、これらカム溝６１，６２，６３は、カム筒２２の周方向にそれぞれ複数、例えば３箇所ずつに、カム筒２２の周方向に互いに略等角度に離間されて設けられている。
【００４５】
各第１のカム溝６１は、各孔部５７から、カム筒２２の周方向に沿って若干延設された後、カム筒２２の前側に向けて傾斜してカム筒２２の周方向に沿って設けられ、カム筒２２の前後方向の中心域よりも若干後側の位置までそれぞれ延設されている。また、各第１のカム溝６１は、カム筒２２の内周面側から径方向に向けて縮径されている。つまり、第１のカム溝６１は、カム筒２２の内周面側から外周面に向かって溝幅が狭くなり、断面形状において略台形の形状となっている。
【００４６】
さらに、各第２のカム溝６２は、各孔部５８から、カム筒２２の周方向に沿って若干延設された後、カム筒２２の後側に向けて若干傾斜してカム筒２２の周方向に沿って設けられ、第１のカム溝６１の端部近傍の位置までそれぞれ延設されている。またさらに、各第２のカム溝６２は、第１のカム溝６１と同様に、カム筒２２の内周面側から径方向に向けて縮径されている。つまり、第２のカム溝６２は、カム筒２２の内周面側から外周面に向かって溝幅が狭くなり、断面形状において略台形の形状となっている。
【００４７】
そして、各第３のカム溝６３は、各孔部５９から、カム筒２２の周方向に沿って若干延設された後、カム筒２２の前側に向けて傾斜してカム筒２２の周方向に沿って設けられ、カム筒２２の前端部近傍の位置までそれぞれ延設されている。さらに、各第３のカム溝６３は、第１および第２のカム溝６１，６２と同様に、カム筒２２の内周面側から径方向に向けて縮径されている。つまり、第３のカム溝６３は、カム筒２２の内周面側から外周面に向かって溝幅が狭くなり、断面形状において略台形の形状となっている。
【００４８】
また、カム筒２２の前端部の内周面には、図１および図２に示すように、ガイド筒２１の前方突部３７と突出部５３の保持突出部５３ａとの間に保持される複数、例えば３つの係合突部６４が中心軸方向に向けて突出して一体に設けられている。これら係合突部６４は、カム筒２２の周方向に沿って細長リブ状にそれぞれ形成され、カム筒２２の周方向に互いに略等角度に設けられている。
【００４９】
さらに、カム筒２２の前端部の外周面には、図４に示すように、カムフランジ部６５が径方向に向けて突出して一体に設けられている。このカムフランジ部６５は、カム筒２２の周方向全体に連続して設けられている。またさらに、このカムフランジ部６５には、図１、図２および図４に示すように、複数、例えば４箇所にフランジ突出部６６がカム筒２２の径方向に突出して一体に設けられている。これらフランジ突出部６６は、カム筒２２の周方向に沿って細長リブ状に設けられ、カム筒２２の周方向に互いに略等角度に離間されている。
【００５０】
そして、フランジ突出部６６の後側には、複数、例えば４つの螺子止め部６７が径方向に向けて突出してフランジ突出部６６、カムフランジ部６５およびカム筒２２と一体に設けられている。この螺子止め部６７には、ズーム調整筒２３をカム筒２２に一体的に固定するためのカム螺子孔６８が設けられている。
【００５１】
ズーム調整筒２３は、カム筒２２に一体的に固定されカム筒２２をガイド筒２１に対して周方向に回動させて投射像をズームするものである。このズーム調整筒２３は、直線状の略円筒状に形成され、図１に示すように、後端側に螺子挿通孔７１が径方向に貫通して設けられている。この螺子挿通孔７１には、ビス７２の軸部７２ａが挿入されており、この軸部７２ａは、カム筒２２の螺子止め部６７のカム螺子孔６８に螺子止めされている。このため、ズーム調整筒２３は、カム筒２２と同軸状にこのカム筒２２の先端側に一体に取り付けられている。
【００５２】
さらに、ピント調整筒２４は、ガイド筒２１に対して周方向に回動可能に取り付けられ、このガイド筒２１に対する周方向への回動により投射像のピントを調整するものである。そして、このピント調整筒２４は、ガイド筒２１の外周螺合部５４に螺合される略円筒状の螺合部７５、この螺合部７５に取り付けられる略円筒状の保持部７６およびこの保持部７６の前端部に取り付けられる略円筒状の操作部７７が互いに同軸状に一体的に取り付けられて形成されている。
【００５３】
螺合部７５は、ピント調整筒２４をガイド筒２１に対して螺合させるもので、前端部および後端部が軸方向の中心域に対して段差状に拡径された略円筒状に形成され、内周面がガイド筒２１の外周螺合部５４に螺合している。また、この螺合部７５の後端部には、後部貫通孔８１が径方向に貫通して設けられている。この後部貫通孔８１には、ビス８２が挿入されており、このビス８２の軸部８２ａの先端側はガイド筒２１の外周面に向けて中心軸方向に突出し、かつガイド筒２１の外周面から若干径方向に離間されている。このビス８２の軸部８２ａが、ガイド筒２１のストッパ部５３ｂに当接することで、ピント調整筒２４のガイド筒２１に対する回動角度が例えば約６０°に規制される。
【００５４】
さらに、螺合部７５の前端部は、後端部よりも拡径されており、この前端部には、前部貫通孔８３が貫通して設けられている。この前部貫通孔８３には、ビス８４が挿入され、このビス８４の軸部８４ａの先端側が保持部７６の外周面に螺子止めされている。
【００５５】
保持部７６は、後側から前側に向けて複数の段差状に順次拡径された略円筒状に形成されている。また、この保持部７６は、後端部がガイド筒２１の前端側からこのガイド筒２１内に挿入され、この後端部の外周面がガイド筒２１の内周面に摺接可能に対向している。さらに、保持部７６の前端側は、螺合部７５の前端部よりも前側に位置し、かつ螺合部７５の前端部と略等しい径寸法に拡径されている。
【００５６】
またさらに、保持部７６の外周面の前後方向の中心域には、保持部螺子孔８５が凹状に設けられている。この保持部螺子孔８５にビス８４の軸部８４ａが螺子止めされることで、螺合部７５が保持部７６に一体的に取り付けられる。またさらに、保持部７６の内周面には、段差に対応した位置に、レンズＬ１１〜Ｌ１３を保持する複数の保持レンズ座部８６ａ，８６ｂ，８６ｃがそれぞれ設けられている。これら保持レンズ座部８６ａ，８６ｂ，８６ｃには、レンズＬ１１，Ｌ１２，Ｌ１３の外周縁部が当接して固定されている。
【００５７】
ここで、本実施の形態において、レンズＬ１１は、後側に凹面を向けた凹レンズである。また、レンズＬ１２は、前側に凸面を向けたメニスカスレンズである。さらに、レンズＬ１３は、両凸レンズである。
【００５８】
そして、保持部７６の外周面の前端部には、操作部７７を保持部７６に一体的に固定するための前部螺子孔８７が凹状に設けられている。
【００５９】
操作部７７は、後側から前側に向けて段差状に順次拡径された略円筒状に形成されており、後端部に操作部貫通孔９１が径方向に貫通して設けられている。この操作部貫通孔９１には、ビス９２が挿入されている。そして、操作部７７は、ビス９２の軸部９２ａが保持部７６の前部螺子孔８７に螺子止めされることで、保持部７６に一体的に固定される。またさらに、操作部７７は、前端部がズーム調整筒２３の前端部よりも前方に位置しており、ズーム調整筒２３よりも拡径されている。
【００６０】
外装カバー７は、意匠などを考慮して、例えば合成樹脂などで矩形箱状に形成されている。
【００６１】
次に、上記一実施の形態の動作を説明する。
【００６２】
光源２から照射された照明光は、筐体３に入射し、この筐体３内でＲ（赤）、Ｇ（緑）、Ｂ（青）の各色光に分離された後、これら色光がＬＣＤパネル４ｒ，４ｇ，４ｂにて変調されてダイクロイッククロスプリズム５に入射し、ダイクロイッククロスプリズム５にて色合成されてレンズ鏡筒６に入射する。
【００６３】
そして、レンズ鏡筒６に入射した光はレンズＬ６〜Ｌ１０、Ｌ１〜Ｌ５およびＬ１１〜Ｌ１３を順次通過してスクリーンに投射像として投射される。
【００６４】
ここで、投射像の大きさを調整する場合には、ズーム調整筒２３をガイド筒２１に対して周方向に回動させることでカム筒２２がズーム調整筒２３と一体的にガイド筒２１に対して回動する。
【００６５】
このとき、スリット部４１，４２からガイド筒２１内に臨む各第１ないし第３のカム溝６１，６２，６３の位置が相対的に変化し、これら第１ないし第３のカム溝６１，６２，６３に係合したカムピン４３ｂ，４４ｂ，４５ｂがそれぞれスリット部４１，４２によりガイドされることで、これらカムピン４３ｂ，４４ｂ，４５ｂが固定されたレンズ枠４３，４４，４５がカムピン４３ｂ，４４ｂ，４５ｂとともにガイド筒２１に沿って直線状にガイドされ、図１の上半部に示す状態から図１の下半部に示す状態へとレンズＬ１〜Ｌ５の位置がガイド筒２１内で変化する。
【００６６】
この結果、投射像の大きさが変化する。
【００６７】
また、投射像のピントを調整する場合には、ピント調整筒２４をガイド筒２１に対して周方向に回動させる。
【００６８】
このとき、ピント調整筒２４の操作部７７を周方向に回動させることで、この操作部７７と一体的に保持部７６および螺合部７５がガイド筒２１に対して回動し、この螺合部７５の回動により、ピント調整筒２４が前後方向、すなわち光軸方向に沿って移動する。
【００６９】
この結果、保持部７６内に保持されたレンズＬ１１〜Ｌ１３がピント調整筒２４とともに光軸方向に沿って移動することで投射像のピントが調整される。
【００７０】
上述したように、上記一実施の形態では、ガイド筒２１とカム筒２２とをそれぞれ合成樹脂製とした。
【００７１】
このため、ガイド筒２１およびカム筒２２を射出成形などで容易に製造でき、製造コストを抑制でき、また、カム筒２２を、例えばアルミニウム材などの金属の部材で形成する従来の場合と比較して、材料コストをも抑制できるなど、レンズ鏡筒６の全体のコストおよびこのレンズ鏡筒６を用いた液晶プロジェクタ１全体のコストを抑制できる。
【００７２】
また、上記一実施の形態のようにカム筒２２を合成樹脂で形成すると、例えばアルミニウム材などの金属の部材でカム筒を形成する従来の場合と同様にカム筒を貫通してカム溝を設けると、カム筒２２の強度を確保するためにカム筒２２の肉厚が大きくなり、レンズ鏡筒６の径寸法が必要以上に大きくなるおそれがある。
【００７３】
そこで、上記一実施の形態では、各第１ないし第３のカム溝６１，６２，６３を、カム筒２２の内周面に設けて全体がカム筒２２の外周面側に貫通しない構成とすることで、カム筒２２の剛性の低下を抑制し、カム筒２２の肉厚を必要以上に大きくすることなくカム筒２２の強度を確保でき、カム筒２２の径寸法が必要以上に大きくなることを抑制できてレンズ鏡筒６の大型化を抑制できる。
【００７４】
さらに、カム筒２２をアルミニウム材などの金属の部材で形成していた従来の場合では、ガイド筒２１に対するカム筒２２の周方向への摺動の円滑さを問題にする必要がなかったが、ガイド筒２１とカム筒２２とを合成樹脂で形成する上記一実施の形態では、ガイド筒２１に対するカム筒２２の周方向への摺動の円滑さを確保することが容易でない。
【００７５】
このため、上記一実施の形態では、ガイド筒２１とカム筒２２とを互いに異なる成分の合成樹脂で形成することで、これらガイド筒２１とカム筒２２とを同一成分の合成樹脂で形成する場合と比較してカム筒２２とガイド筒２１との間の摩擦力を低減し、ガイド筒２１に対するカム筒２２の周方向への摺動の円滑さを確保して、レンズ鏡筒６の良好な操作性を確保できる。
【００７６】
そして、ガイド筒２１およびカム筒２２を形成する合成樹脂に含まれるガラス繊維の重量比が大きいと、強度が向上するとともに材料コストが増加する。このため、レンズ鏡筒６の荷重が加わるために強度が必要なガイド筒２１は、ガラス繊維の重量比をカム筒２２よりも大きくすることで強度を確保でき、ガイド筒２１と比較して大きい強度が必要ないカム筒２２は、ガラス繊維の重量比をガイド筒２１よりも小さくすることで、より安価に製造できる。
【００７７】
なお、上記一実施の形態において、ガイド筒２１およびカム筒２２を形成する合成樹脂は、他の様々な種類が可能である。
【００７８】
また、レンズ鏡筒６および液晶プロジェクタ１の細部は、上記構成に限定されるものではない。
【００７９】
さらに、カム溝６１，６２，６３は、全体がカム筒２２を貫通している状態でなければ、カム筒２２を貫通した状態の部分を多少有していてもよい。
【００８０】
【発明の効果】
請求項１記載のプロジェクタ装置用鏡筒によれば、複数のレンズを光軸方向に沿って直線状に案内可能に内部に保持したガイド筒と、このガイド筒が嵌挿され、複数のレンズを光軸方向に沿って移動させるカム筒とをそれぞれ合成樹脂製としたことにより、例えば射出成形などでこれらガイド筒およびカム筒を容易に製造でき、製造コストを抑制できるとともに、例えば金属の部材で形成する場合などと比較して材料コストも抑制でき、全体のコストを抑制できる。
【００８１】
請求項２記載のプロジェクタ装置用鏡筒によれば、請求項１記載のプロジェクタ装置用鏡筒の効果に加えて、カム筒のガイド筒に対する周方向への回動により各レンズを光軸方向に沿って移動させる複数のカム溝を、カム筒の外周面側に貫通しない状態の部分を有するようにカム筒の内周面に設けることで、例えばカム筒を貫通してカム溝を設ける場合と比較して、カム筒の肉厚を必要以上に大きくすることなくカム筒の強度を確保できる。
【００８２】
請求項３記載のプロジェクタ装置用鏡筒によれば、請求項１または２記載のプロジェクタ装置用鏡筒の効果に加えて、カム筒をガイド筒と異なる成分の合成樹脂で設けることで、例えば同一成分の合成樹脂でカム筒とをガイド筒とを設ける場合と比較して、カム筒とガイド筒との間の摩擦力を低減し、良好な操作性を確保できる。
【００８３】
請求項４記載のプロジェクタ装置によれば、請求項１ないし３いずれか一記載のプロジェクタ装置用鏡筒を備えることで、全体のコストを容易に抑制できる。
【図面の簡単な説明】
【図１】本発明の一実施の形態のプロジェクタ装置用鏡筒を示す側面断面の説明図である。
【図２】同上プロジェクタ装置用鏡筒のカム筒を示す側面断面図である。
【図３】同上カム筒の内周面を展開して示す展開図である。
【図４】同上カム筒の外周面を展開して示す展開図である。
【図５】同上プロジェクタ装置用鏡筒を備えたプロジェクタ装置の一部を示す斜視図である。
【図６】同上プロジェクタ装置を示す平面図である。
【符号の説明】
１    プロジェクタ装置としての液晶プロジェクタ
２    光源
４ｒ，４ｇ，４ｂ    光変調手段としてのＬＣＤパネル
６    プロジェクタ装置用鏡筒としてのレンズ鏡筒
２１    ガイド筒
２２    カム筒
６１    カム溝としての第１のカム溝
６２    カム溝としての第２のカム溝
６３    カム溝としての第３のカム溝
Ｌ１，Ｌ２，Ｌ３，Ｌ４，Ｌ５    レンズ
【図１】
2004347646.tif 000003
【図２】
2004347646.tif 000004
【図３】
2004347646.tif 000005
【図４】
2004347646.tif 000006
【図５】
2004347646.tif 000007
【図６】
2004347646.tif 000008